(57)【要約】【課題】微小レベルでのピント合わせが容易で、レンズ鏡筒の全長が長い場合であっても手動により絞り値を任意の値となるように調整するのが容易な分割式レンズ鏡筒を提供する。【解決手段】エクステンションチューブ２０が、鏡筒部６０に対して着脱可能な鏡筒側筒部２１と、鏡筒側筒部に対してスライド可能な移動筒部２４と、鏡筒側筒部と移動筒部の間に形成した直進案内機構２５、２６と、移動筒部に形成した雄ねじ溝２９と、鏡筒側筒部に対して光軸方向に移動不能かつ光軸回りに回転可能で、上記雄ねじ溝と螺合する雌ねじ溝３１を有する操作手段３０と、を備える。【選択図】図２
2011022280.tif 000002
【特許請求の範囲】
【請求項１】
移動レンズ群、及び、該移動レンズ群の光軸方向位置を調整する調整リングを備える鏡筒部と、
該鏡筒部に対して着脱可能でレンズ群を内蔵しないエクステンションチューブと、
を備える分割式レンズ鏡筒であって、
上記エクステンションチューブが、
上記鏡筒部に対して着脱可能な鏡筒側筒部と、
該鏡筒側筒部とは別体で、該鏡筒側筒部に対して光軸方向に相対移動可能な移動筒部と、
上記鏡筒側筒部と上記移動筒部の間に形成した直進案内機構と、
上記鏡筒側筒部と上記移動筒部の一方の外周面に形成した、上記光軸を中心とする雄ねじ溝と、
上記鏡筒側筒部と上記移動筒部の他方に対して光軸方向に移動不能かつ上記光軸回りに回転可能で、上記雄ねじ溝と螺合する雌ねじ溝を有する回転部材と、
該回転部材を上記光軸回りに回転させる操作手段と、
を備えることを特徴とする分割式レンズ鏡筒。
【請求項２】
請求項１記載の分割式レンズ鏡筒において、
上記操作手段が上記回転部材を兼ねる分割式レンズ鏡筒。
【請求項３】
請求項１記載の分割式レンズ鏡筒において、
上記操作手段が、上記エクステンションチューブの径方向に延びる回転軸回りに回転可能で、該回転軸を中心とする第１笠歯車を支持するスライド調整摘みであり、
上記回転部材が、上記第１笠歯車と噛合し、その回転軸が上記光軸と平行な方向に延びる第２笠歯車である分割式レンズ鏡筒。
【請求項４】
請求項１から３のいずれか１項記載の分割式レンズ鏡筒において、
上記鏡筒側筒部と上記移動筒部の間に、両者を互いに離れる方向に付勢する付勢手段を設けた分割式レンズ鏡筒。
【請求項５】
請求項１から４のいずれか１項記載の分割式レンズ鏡筒において、
上記鏡筒部が絞り機構を備え、
上記エクステンションチューブが、
上記鏡筒部に接続したときに上記絞り機構と連係し、上記撮影レンズ群の光軸回りに回転することにより該絞り機構を開閉させる動力伝達レバーと、
外周面に回転可能に設けた絞り調整部材と、
上記絞り調整部材の回転力を上記動力伝達レバーに伝達して、該動力伝達レバーを上記光軸回りに回転させる操作力伝達機構と、
を備える分割式レンズ鏡筒。
【請求項６】
請求項５記載の分割式レンズ鏡筒において、
上記絞り調整部材が、上記エクステンションチューブの径方向に延びる回転軸回りに回転可能な絞り調整摘みであり、
上記操作力伝達機構が、上記絞り調整摘みの回転力を上記光軸を中心とする回転方向の力に変換するカム機構を有する分割式レンズ鏡筒。
【請求項７】
請求項５記載の分割式レンズ鏡筒において、
上記絞り調整部材が、上記光軸回りに回転可能なリング部材であり、
上記操作力伝達機構が、上記リング部材と上記動力伝達レバーとを一緒に回転するように連係する連結部材である分割式レンズ鏡筒。
【発明の詳細な説明】
【技術分野】
【０００１】
本発明は分割式レンズ鏡筒に関する。
【背景技術】
【０００２】
超望遠レンズのレンズ鏡筒はレンズ鏡筒長が長く全体の重量が大きいため、このようなレンズ鏡筒を分離不能な一体物として製造すると、非撮影時の持ち運びが不便になる。そこで、このような全長の長いレンズ鏡筒を着脱可能な複数の筒部材に分けた上で、前側の筒部材に移動レンズ群（フォーカスレンズ群）、移動レンズ群を移動させるための移動機構、該移動機構を動作させるためのフォーカスリングを設け、かつ、後側の筒部材を所謂エクステンションチューブ（撮影レンズを内蔵しない筒部材）とすれば、非撮影時におけるレンズ鏡筒の持ち運びが簡単になる。
このような構造の分割式レンズ鏡筒は、被写体を観察しながら前側の筒部材に設けたフォーカスリングを手動操作することによりマニュアルフォーカスによる望遠撮影を実行できる。なお、後側の筒部材に、カメラボディ側と前側の筒部材との間で信号を送信する信号送信手段を設ければ、カメラボディ側によるＡＦ（オートフォーカスや）操作や絞り調整操作が可能になる。
【先行技術文献】
【特許文献】
【０００３】
【特許文献１】特開平７−２３０１１６号公報
【発明の概要】
【発明が解決しようとする課題】
【０００４】
しかし、レンズ鏡筒を分割式として構成した場合には以下の問題が生じる。
即ち、天体撮影等では高いピント精度を要求されるが、一般的にフォーカスリングによってピント調整を微小レベルで行うのは容易でないため、天体撮影を正確に行えないおそれがある。
さらに、絞り値を任意（所望）の値となるように絞り調整するのが難しかった。
【０００５】
本発明は、微小レベルでのピント合わせが容易で、レンズ鏡筒の全長が長い場合であっても手動により絞り値を任意の値となるように調整するのが容易な分割式レンズ鏡筒を提供することを目的とする。
【課題を解決するための手段】
【０００６】
本発明の分割式レンズ鏡筒のエクステンションチューブは、移動レンズ群、及び、該移動レンズ群の光軸方向位置を調整する調整リングを備える鏡筒部と、該鏡筒部に対して着脱可能でレンズ群を内蔵しないエクステンションチューブと、を備える分割式レンズ鏡筒であって、上記エクステンションチューブが、上記鏡筒部に対して着脱可能な鏡筒側筒部と、該鏡筒側筒部とは別体で、該鏡筒側筒部に対して光軸方向に相対移動可能な移動筒部と、上記鏡筒側筒部と上記移動筒部の間に形成した直進案内機構と、上記鏡筒側筒部と上記移動筒部の一方の外周面に形成した、上記光軸を中心とする雄ねじ溝と、上記鏡筒側筒部と上記移動筒部の他方に対して光軸方向に移動不能かつ上記光軸回りに回転可能で、上記雄ねじ溝と螺合する雌ねじ溝を有する回転部材と、該回転部材を上記光軸回りに回転させる操作手段と、を備えることを特徴としている。
【０００７】
上記操作手段が上記回転部材を兼ねるのが好ましい。
【０００８】
上記操作手段が、上記エクステンションチューブの径方向に延びる回転軸回りに回転可能で、該回転軸を中心とする第１笠歯車を支持するスライド調整摘みであり、上記回転部材が、上記第１笠歯車と噛合し、その回転軸が上記光軸と平行な方向に延びる第２笠歯車であってもよい。
【０００９】
上記鏡筒側筒部と上記移動筒部の間に、両者を互いに離れる方向に付勢する付勢手段を設けてもよい。
【００１０】
上記鏡筒部が絞り機構を備え、上記エクステンションチューブが、上記鏡筒部に接続したときに上記絞り機構と連係し、上記撮影レンズ群の光軸回りに回転することにより該絞り機構を開閉させる動力伝達レバーと、外周面に回転可能に設けた絞り調整部材と、上記絞り調整部材の回転力を上記動力伝達レバーに伝達して、該動力伝達レバーを上記光軸回りに回転させる操作力伝達機構と、を備えていてもよい。
【００１１】
上記絞り調整部材が、上記エクステンションチューブの径方向に延びる回転軸回りに回転可能な絞り調整摘みであり、上記操作力伝達機構が、上記絞り調整摘みの回転力を上記光軸を中心とする回転方向の力に変換するカム機構を有していてもよい。
【００１２】
上記絞り調整部材が、上記光軸回りに回転可能なリング部材であり、上記操作力伝達機構が、上記リング部材と上記動力伝達レバーとを一緒に回転するように連係する連結部材であってもよい。
【発明の効果】
【００１３】
本発明によれば、ねじ機構によって移動筒部を移動させているので、移動筒部の微小レベルでの移動調整を容易に行うことが出来、レンズ鏡筒の細かなピント合わせを容易に行うことができる。
【図面の簡単な説明】
【００１４】
【図１】本発明の一実施形態の分割式レンズ鏡筒を具備するデジタルカメラの一部を断面視して示す側面図である。
【図２】エクステンションチューブの上半部の拡大縦断側面図である。
【図３】エクステンションチューブの下半部の拡大縦断側面図である。
【図４】設定絞り値が最大（開放絞り）のときの回転レバーとカム機構の底面図である。
【図５】設定絞り値が最大のときの図２のＶ−Ｖ矢線で切ったときの後方から見た断面図である。
【図６】設定絞り値が最小（最小絞り）のときの回転レバーとカム機構の底面図である。
【図７】設定絞り値が最小のときの図５と同様の断面図である。
【図８】絞り調整摘みの底面図である。
【図９】絞り調整摘み、カム機構、回転レバー等を省略した変形例の図２と同様の拡大縦断側面図である。
【発明を実施するための形態】
【００１５】
以下、図１〜図８を参照しながら本発明の一実施形態について説明する。なお、以下の説明中の方向は図中の矢印を基準としている。
本発明を適用したデジタルカメラ１０は天体観測等に適した望遠撮影用カメラである。デジタルカメラ１０は、撮像素子、回転ミラー、シャッター、画像処理装置、ファインダ、シャッターボタン、（撮像素子、回転ミラー、シャッター、画像処理装置などの動作を制御するための）制御装置、該制御装置と電気的に接続する接点ピン、（撮像素子、画像処理装置、制御装置などに電力を供給する）内部電源等を具備するカメラボディ１１と、カメラボディ１１の前面開口部に着脱可能な分割式レンズ鏡筒１５と、を具備している。
【００１６】
分割式レンズ鏡筒１５は、互いに着脱可能なエクステンションチューブ２０と鏡筒部６０とを具備している。
エクステンションチューブ２０は、前後両端が開口する円筒形状の鏡筒側筒部２１と、鏡筒側筒部２１の直後に同軸状態で位置する移動筒部２４と、を具備している。鏡筒側筒部２１の前端部には、鏡筒部６０の後端部に形成したマウント部６２と着脱可能なマウント部２２が形成してあり、鏡筒側筒部２１の前端部の外周面には、内周面に雌ねじ溝を有するロック環２３が回転可能かつスライド可能に設けてある（図１参照。図２、図３では図示略）。移動筒部２４の後端部にはカメラボディ１１の前面開口部に形成したマウント部と着脱可能なマウント部（図示略）が形成してある。
図２及び図３に示すように、移動筒部２４の前部は、後部より薄肉でその外径が後部の外径より小さく、かつその外周面には光軸方向に延びる３本の直進案内溝２５が周方向に１２０°間隔で凹設してある。一方、鏡筒側筒部２１の後端部の内周面の３箇所には、周方向に１２０°間隔で３つの直進案内キー２６がネジにより固定してある。３つの直進案内キー２６は対応する直進案内溝２５にスライド自在に係合している。直進案内溝２５と直進案内キー２６の幅は等しくかつ直進案内キー２６の前後長は直進案内溝２５より短いので、直進案内溝２５と直進案内キー２６からなる直進案内機構によって移動筒部２４は鏡筒側筒部２１に対して前後方向にスライド可能かつ光軸回りに回転不能となっている。さらに、移動筒部２４には光軸を中心とする環状部材であり、かつその外周面に雄ねじ溝２９を備える雄ねじ環２８がネジにより一体化してある（雄ねじ環２８は移動筒部２４の一部である）。一方、鏡筒側筒部２１の後部の外周面には、鏡筒側筒部２１に対して光軸回りに回転可能かつ光軸方向にスライド不能な２部材からなるスライド調整リング（操作手段）（回転部材）３０が設けてあり、スライド調整リング３０の内周面には雄ねじ溝２９と螺合する雌ねじ溝３１が形成してある。さらに、図３に示すように鏡筒側筒部２１の後端面と移動筒部２４の間には、移動筒部２４を鏡筒側筒部２１に対して後方に付勢することにより、雄ねじ溝２９と雌ねじ溝３１の間のバックラッシュを除去する圧縮コイルバネ（付勢手段）３２が設けてある。従って、スライド調整リング３０を鏡筒側筒部２１に対して回転させれば、雄ねじ溝２９と雌ねじ溝３１の螺合関係及び直進案内溝２５と直進案内キー２６の直進案内関係によって、移動筒部２４が鏡筒側筒部２１に対して光軸方向(前後方向)に相対スライドする。
【００１７】
鏡筒側筒部２１の内周面の前端部近傍には、内周側に向かって突設した正面視環状の内方フランジ３３が一体的に設けてある。図２、図３、図５及び図７に示すように、内方フランジ３３の後面には、その内径が内方フランジ３３より大きく外径が略等しい環状の回転環３４が位置している。図示するように回転環３４には、回転環３４の周方向と略同じ方向に延びる３つの長孔３５が周方向に１２０°間隔で３つ穿設してある。さらに、回転環３４の後方から各長孔３５に挿通した３本のネジ３６の前端部に形成したねじ部が内方フランジ３３の後面に形成した３つのネジ孔３７にそれぞれ螺合してあり（図３参照）、長孔３５の幅より径が大きいネジ３６の環状フランジ部３６ａが回転環３４の後面に当接している。従って、回転環３４は内方フランジ３３に対して、長孔３５とネジ３６によって規制された回転角内で相対回転可能である。さらに、図５及び図７に示すように、２つのネジ３６と回転環３４の後面の２箇所の間には２つの引張バネＳの両端がそれぞれ固定してあるので、回転環３４は２つの引張バネＳによって正面視で反時計方向（図５及び図７では時計方向）に回転付勢されている。また、図２に示すように、回転環３４の前面の上部には前方に向かって延びる動力伝達レバー３８が固定してあり、動力伝達レバー３８は内方フランジ３３に貫通孔として穿設した光軸Ａを中心とする円弧孔３９を前方に貫通している。
回転環３４の後面における動力伝達レバー３８と対応する箇所には、側面視Ｌ字形をなす回転レバー４０の前端部に形成されたエクステンションチューブ２０の径方向に延びる固定片４１が、２本のネジによって固定してある。
【００１８】
鏡筒側筒部２１の外周面の上端部には、低寸の円柱形状部材である台座４３が固定してあり、台座４３の上部には台座４３より大径の略円柱形状部材である絞り調整摘み（絞り調整部材）４５が被せてある。絞り調整摘み４５の下面には台座４３の上部に嵌る凹部が形成してあり、かつ、該凹部の底面には円柱形状をなす固定用凹部４５ａが上向きに凹設してあり、固定用凹部４５ａに円柱形状をなす回転軸４６の上部が嵌合固定してある。そして、回転軸４６の下半部が、台座４３の中心部に形成した貫通孔、及び、鏡筒側筒部２１の上部に形成した該貫通孔と連通する貫通孔に相対回転可能に嵌合しているので、絞り調整摘み４５は回転軸４６を中心に鏡筒側筒部２１及び台座４３に対して相対回転可能である。さらに、台座４３の中心部から外周側にずれた位置には台座４３をその厚み方向に貫通するボール支持孔４４が形成してあり、ボール支持孔４４の内部にはボール支持孔４４と同軸をなす圧縮コイルバネ４７が挿入してある。圧縮コイルバネ４７の下面は鏡筒側筒部２１の上面に接触しており、圧縮コイルバネ４７の上端にはボール支持孔４４と略同径のクリックボール４８が支持してある。一方、絞り調整摘み４５の上記凹部の底面にはクリックボール４８と略同径である７つのクリック溝４９が周方向に並べて形成してあり（図８参照）、圧縮コイルバネ４７によって上方に付勢されたクリックボール４８の上半部がいずれかのクリック溝４９に係合している。従って、絞り調整摘み４５を鏡筒側筒部２１及び台座４３に対して回転させると、いずれかのクリック溝４９に係合しているクリックボール４８の上半部が該クリック溝４９から脱出して隣のクリック溝４９に係合するので、クリックボール４８とクリック溝４９によってクリック感が得られる。
【００１９】
回転軸４６の下面には鏡筒側筒部２１の内周側に位置する抜止部材５０が固定してあり、この抜止部材５０によって回転軸４６が鏡筒側筒部２１及び台座４３の上記貫通孔から外周側に抜け出すのを防止されている。図４及び図６に示すように抜止部材５０は、大径半円部５１と大径半円部５１より小寸の小径半円部５２とを備えており、その外周面に２つのストッパ面５３、５４を備えている。一方、鏡筒側筒部２１の内周面には抜止部材５０と同じ径方向位置まで内周側（光軸Ａ側）に向かって延びるストッパピン５８が突設してある。従って、絞り調整摘み４５を平面視で反時計方向に回した場合、抜止部材５０はストッパ面５３がストッパピン５８に当接する位置まで回転可能であり、絞り調整摘み４５を平面視で時計方向に回した場合は、ストッパ面５４がストッパピン５８に当接する位置まで回転可能である。このように圧縮コイルバネ４７が回転するとき、ストッパピン５８は常に小径半円部５２の外周側に位置するので、ストッパピン５８と小径半円部５２が接触することはない。さらに、ストッパピン５８がストッパ面５３に当接するとき、クリックボール４８の上半部が周方向に並ぶ７つのクリック溝４９の中の一端に位置するクリック溝４９に係合し、ストッパピン５８がストッパ面５４に当接するとき、クリックボール４８の上半部が他端に位置するクリック溝４９に係合する。
【００２０】
さらに、図４及び図６に示すように抜止部材５０の下面には、大径半円部５１及び小径半円部５２に対して偏心させた状態でカム部材５５が固定してある。カム部材５５は図示するような半円形状であり、その円弧面がカム面５６を構成している。図２、図４及び図６に示すように、カム部材５５と回転レバー４０の後部の（エクステンションチューブ２０の）径方向位置は一致しており、かつ、上述のように２つの引張バネＳによって回転環３４が正面視で反時計方向に回転付勢されているので、回転環３４と一体化している回転レバー４０の後部の一方の側面（正面視で左側面）は常にカム部材５５のカム面５６に接触する。図４及び図６に示すように、回転軸４６の軸線方向（エクステンションチューブ２０の径方向）に見たとき、回転軸４６の中心点からカム面５６までの直線距離はカム面５６の各位置によって異なる。そのため、絞り調整摘み４５を回転させることによりカム面５６の回転レバー４０の側面に対する接触位置が徐々に変化すると、カム面５６によって回転レバー４０及び回転環３４の光軸Ａ回りの回転方向位置が徐々に変化する。具体的には、絞り調整摘み４５を平面視で時計方向に回転させた場合は、回転レバー４０及び回転環３４が正面視で時計方向に回転するので、動力伝達レバー３８が円弧孔３９の内部を正面視で時計方向に回転する。一方、絞り調整摘み４５を平面視で反時計方向に回転させた場合は、回転レバー４０及び回転環３４が正面視で反時計方向に回転するので、動力伝達レバー３８が円弧孔３９の内部を正面視で反時計方向に回転する。
以上説明した部材のうち回転環３４、回転レバー４０、回転軸４６、抜止部材５０、及びカム部材５５が操作力伝達機構の構成要素であり、回転レバー４０及びカム部材５５がカム機構の構成要素である。
【００２１】
鏡筒部６０は前後両端が開口する円筒形状の固定環６１を具備している。固定環６１の後端部には、鏡筒側筒部２１のマウント部２２と着脱可能かつカメラボディ１１の前面開口部に形成したマウント部とは着脱不能なマウント部６２が形成してあり、マウント部６２の外周面にはロック環２３の上記雌ねじ溝と螺合可能な雄ねじ溝（図示略）が形成してある。
固定環６１の内周面の後端近傍部には、固定環６１の軸線を中心とする環状体である内方フランジ６３が内周側に向けて一体的に突設してある。内方フランジ６３には、２枚のレンズからなる第３レンズ群Ｌ３を支持する３群支持環６４が固定してある。
また内方フランジ６３には、固定環６１の内周側に位置する直進案内環６５の後端部が固定してある。直進案内環６５には光軸Ａ方向に延びる３本の直進案内溝６６（図１に１本のみ図示）が周方向に１２０°間隔で貫通溝として形成してある。そして、直進案内環６５の各直進案内溝６６には、直進案内環６５の内周側に位置し、かつ２枚レンズからなる第２レンズ群Ｌ２を支持する２群支持環６７の外周面に１２０°間隔で突設した３本のカムフォロア６８がそれぞれ相対移動可能に嵌合している。さらに、固定環６１の前端部と直進案内環６５の前端部の間には、固定環６１と略同径の環状部材であるフォーカスリング（調整リング）７０が第２レンズ群Ｌ２及び第３レンズ群Ｌ３の光軸Ａ回りに回転可能かつ光軸Ａ方向にスライド不能として支持してある。フォーカスリング７０の内周面にはフォーカスリング７０より小径の環状部材であるカム環７１が固定してあり、カム環７１には直進案内溝６６に対して傾斜するカム溝７２が周方向に１２０°間隔で３本形成してある（図１に１本のみ図示）。そして、各カム溝７２には対応する直進案内溝６６を貫通したカムフォロア６８が相対移動可能に嵌合しているので、フォーカスリング７０を光軸Ａ回りに回転させると２群支持環６７及び第２レンズ群Ｌ２が光軸Ａに沿って進退する。
このように第２レンズ群Ｌ２及び２群支持環６７はフォーカスリング７０の手動操作によって進退させることが可能であるが、鏡筒部６０には、図示を省略したモータと、該モータの動力をカム環７１に伝達する動力伝達機構と、モータを制御する回路基板７４と、回路基板７４から後方に延びるフレキシブルプリント基板（配線）７５と、フレキシブルプリント基板（配線）７５の後端部に設けた接点ピン７６と、が設けてある。
さらに直進案内環６５の前端部には前側固定環７７（図１で後端部のみ図示）が固定してあり、前側固定環７７の前端部（図示略）の前部の内周面には２枚のレンズからなる第１レンズ群（図示略）が固定してある。
【００２２】
さらに、固定環６１の内部には第２レンズ群Ｌ２と第３レンズ群Ｌ３の間に位置する絞り機構８０が設けてある。絞り機構８０は、固定環６１の軸線（第１レンズ群、第２レンズ群Ｌ２及び第３レンズ群Ｌ３の光軸Ａ）を中心とする周方向に並びかつ自身の回転軸回りに回転可能な複数の絞り羽根（図示略）を具備している。さらに、これらの各絞り羽根は、図示を省略した付勢手段によって最小絞り方向に回転付勢されている。また、固定環６１の内部には、固定環６１の軸線を中心とする周方向に回転可能な絞り操作レバー８１が設けてある。絞り操作レバー８１の前端部は絞り機構８０と連係しており、絞り操作レバー８１の後端部は３群支持環６４を回転可能に貫通しており、絞り操作レバー８１の後端部は上方に向けて曲折された係脱部８２となっている。
【００２３】
エクステンションチューブ２０は、その後端部のマウント部を光軸Ａ回りに回転させながらカメラボディ１１の前面開口部に形成したマウント部に係合させることによりカメラボディ１１に接続でき、エクステンションチューブ２０を当該回転方向と逆方向に回転させることによりカメラボディ１１のマウント部から取り外すことが可能である。
鏡筒部６０をエクステンションチューブ２０に対して接続するには、エクステンションチューブ２０のマウント部２２と固定環６１のマウント部６２を回転させながら係合させ、かつロック環２３を回転させてロック環２３の上記雌ねじ溝を固定環６１の外周面に形成した上記雄ねじ溝に螺合させる。一方、ロック環２３を逆方向に回転させてロック環２３の上記雌ねじ溝と固定環６１の上記雄ねじ溝の螺合を解除し、かつ、鏡筒部６０を自身の軸線回りに回転させてマウント部６２とマウント部２２の係合を解除すれば、鏡筒部６０をエクステンションチューブ２０から分離できる。
【００２４】
上述したように、カメラボディ１１は制御装置を内蔵しており、かつ、鏡筒部６０はモータ、動力伝達機構、回路基板７４、フレキシブルプリント基板（配線）７５、及び接点ピン７６を内蔵しているものの、エクステンションチューブ２０がデジタルカメラ１０の接点ピンと鏡筒部６０の接点ピン７６とを電気的に接続する通信手段を内蔵していないので、カメラボディ１１にエクステンションチューブ２０を接続した上でエクステンションチューブ２０に鏡筒部６０を接続した場合は、デジタルカメラ１０はマニュアルフォーカス（ＭＦ）による撮影のみ可能となり、オートフォーカス（ＡＦ）による撮影はできない。
絞り機構８０の各絞り羽根を最小絞り方向に回転付勢する上記付勢手段の付勢力によって絞り操作レバー８１は常に正面視において時計方向に回転付勢されているので、鏡筒部６０がエクステンションチューブ２０から分離しているときは絞り機構８０は最小絞り状態となる。しかし、カメラボディ１１にエクステンションチューブ２０を接続すると、エクステンションチューブ２０側の動力伝達レバー３８が鏡筒部６０側の絞り操作レバー８１の係脱部８２に係合し、動力伝達レバー３８によって係脱部８２（絞り操作レバー８１）の正面視時計方向への回転が規制される。このときの動力伝達レバー３８の（光軸Ａ回りの）回転位置は絞り調整摘み４５の回転位置（設定絞り値）に対応する位置なので、絞り機構８０の各絞り羽根の内周面によって規定される絞り径が、絞り調整摘み４５によって設定された設定絞り値となる。
また、撮影者がフォーカスリング７０を手動により回転させると第２レンズ群Ｌ２が光軸Ａ方向に進退するので、マニュアルフォーカスによるピント合わせを行うことが出来る。さらに、撮影者がスライド調整リング３０を手動により回転させると鏡筒側筒部２１に対して移動筒部２４が前後に相対移動するのでピント位置が変化する。鏡筒側筒部２１と移動筒部２４の間の移動機構が雄ねじ溝２９と雌ねじ溝３１からなるネジ機構によって構成されているので、スライド調整リング３０の回転による移動筒部２４の移動操作を第２レンズ群Ｌ２の移動操作よりも微小レベルで行うのが容易である。そのため、フォーカスリング７０によって大まかなピント調整を行った後にスライド調整リング３０によって微小レベルでのピント調整を行えば、撮影者はピント調整を正確かつ簡単に行うことができる。
そして、分割式レンズ鏡筒１５を被写体に向けながら上記シャッターボタンを全押しすると、第２レンズ群Ｌ２及び第３レンズ群Ｌ３を透過した観察像がカメラボディ１１の上記撮像素子によって撮像される。なお、カメラボディ１１と鏡筒部６０の絞り機構８０は連係していないので、シャッターボタンを全押ししても、絞り機構８０の絞り径は絞り調整摘み４５によって設定された設定絞り値のまま不変である。従って、シャッターボタンを全押しすると、ユーザーが予め設定した絞り値で撮影が行われる。
【００２５】
なお、カメラボディ１１の接点ピンと鏡筒部６０の接点ピン７６とを電気的に接続する通信手段、及び、絞り機構８０とデジタルカメラ１０とを連係する連係機構を有するＡＦ用筒部材を用意し、エクステンションチューブ２０の代わりに該ＡＦ用筒部材によってデジタルカメラ１０と鏡筒部６０を接続してもよい。このようにすれば、デジタルカメラ１０のシャッターボタンを半押し操作したときに鏡筒部６０の上記モータが作動し、該モータの動力によって第２レンズ群Ｌ２が光軸Ａ方向に進退するので、オートフォーカス（ＡＦ）による撮影が可能になる。さらに、この場合はシャッターボタンを押す前において絞り機構８０が開放絞りとなり、シャッターボタンを全押しすると絞り機構８０が電気的に制御され絞り径が変化する。
また、エクステンションチューブ２０にカメラボディ１１の接点ピンと鏡筒部６０の接点ピン７６とを電気的に接続する通信手段を持たせてもよい。シングルＡＦモードの場合は、カメラボディ１１のシャッターボタンの半押し操作にオートフォーカス動作により第２レンズ群Ｌ２を移動させ、その後にエクステンションチューブ２０のスライド調整リング３０によって微小レベルでのピント調整を行ってもよい。一方、コンティニュアスＡＦの場合は、第２レンズ群Ｌ２をオートフォーカス動作させた後にカメラボディ１１のＡＦスイッチをＯＦＦにし、エクステンションチューブ２０のスライド調整リング３０によって微小レベルでのピント調整を行う。
【００２６】
以上説明したように本実施形態のエクステンションチューブ２０は、フォーカスリング７０よりも微小なレベルでのピント調整が可能なスライド調整リング３０を具備しているので、撮影者はデジタルカメラ１０のピント調整を簡単かつ正確に行うことができる。
さらに、エクステンションチューブ２０に設けた絞り調整機構の構成が簡単であり、該絞り調整機構により絞り機構８０の絞り値を任意（所望）の値となるように簡単に調整できる。
【００２７】
以上、上記実施形態に基づいて本発明を説明したが、本発明は様々な変更を施しながら実施可能である。
例えば、エクステンションチューブを図９に示すエクステンションチューブ９０として実施してもよい。このエクステンションチューブ９０の移動筒部２４を鏡筒側筒部２１に対して移動させるための調整部材は、エクステンションチューブ２０の径方向に延びる回転軸回りに回転可能なスライド調整摘み（操作手段）９１である。鏡筒側筒部２１の上面には中央部に貫通孔を有する支持部材９３が固定してあり、支持部材９３の該貫通孔には円筒形状をなす回転支持部材９４が固定してあり、回転支持部材９４の内周面に設けた軸受け９５がスライド調整摘み９１の下部を構成する小径軸部９２を回転可能に支持している。小径軸部９２の下端部には、小径軸部９２の軸線を中心とする回転体であり、かつその周面に歯部を有する第１笠歯車９６が固定してある。一方、移動筒部２４には、光軸Ａと平行な回転中心軸を有する環状体であり、その外周面に第１笠歯車９６と噛合する歯部を有する第２笠歯車（回転部材）９７が支持してある。第２笠歯車９７の内周面全体には光軸Ａを中心とする左ねじである雌ねじ溝９８が形成してあり、移動筒部２４の外周面の雌ねじ溝９８と対向する部分には、光軸Ａを中心とする周方向に延びかつ雌ねじ溝９８と螺合する（左ねじである）雄ねじ溝９９が形成してある。さらに、支持部材９３の後部の下面と移動筒部２４の間には、支持部材９３の後部に対して光軸Ａ方向にスライド可能かつ光軸Ａ回りに回転不能な押圧部材１００が設けてある。押圧部材１００と移動筒部２４の間には、移動筒部２４を後方に付勢する圧縮コイルバネ１０１が縮設してあるので、雌ねじ溝９８と螺合する雄ねじ溝９９の間のバックラッシュが除去され、かつ、第２笠歯車９７の後面と押圧部材１００の前面とが互いに接触している（押圧部材１００のスライド位置を固定している）。また、軸受け９５の内周側（光軸側）には第１笠歯車９６と第２笠歯車９７を常に噛合状態を維持するための付勢手段が設けてある。
従って本変形例のエクステンションチューブ９０では、スライド調整摘み９１を平面視において時計方向に回転させると、第１笠歯車９６と第２笠歯車９７の噛合関係により第２笠歯車９７が正面視において時計方向に回転し、移動筒部２４が鏡筒側筒部２１に対して前方に相対移動する。一方、スライド調整摘み９１を平面視において反時計方向に回転させると、第１笠歯車９６と第２笠歯車９７の噛合関係により第２笠歯車９７が正面視において反時計方向に回転し、移動筒部２４が鏡筒側筒部２１に対して後方に相対移動する。
また、スライド調整摘み９１はスライド調整リング３０に比べて小寸（小径）なので、移動筒部２４の移動操作が簡単になる。
なお図９では図示を省略しているが、エクステンションチューブ９０もエクステンションチューブ２０と同様の動力伝達レバー３８、回転レバー４０、絞り調整摘み４５、回転レバー４０と絞り調整摘み４５を連係するカム機構等を具備しているので、絞り調整摘み４５を回転させれば鏡筒部６０に設けた絞り機構８０の設定絞り値を変化させることができる。また、第１笠歯車９６と第２笠歯車９７のギヤ比を調整する事で、移動筒部２４の移動量を微動調整できるようにしてもよい。
【００２８】
また、スライド調整リング３０や第２笠歯車９７を移動筒部２４に光軸Ａ回りに回転可能かつ光軸Ａ方向にスライド不能として装着し、鏡筒側筒部２１の外周面にスライド調整リング３０の雌ねじ溝３１または第２笠歯車９７の雌ねじ溝９８と螺合する雄ねじ溝を形成してもよい。
さらに、エクステンションチューブ２０やエクステンションチューブ９０の絞り調整摘み４５を、鏡筒側筒部２１の外周面に光軸Ａ回りに回転可能かつ光軸Ａ方向にスライド不能として設けたリング部材とし、該リング部材と回転レバー４０とを、鏡筒側筒部２１に形成した周方向に延びる貫通溝を貫通する連結部材により連結してもよい。このように構成すれば、該リング部材を光軸Ａ回りに回転させることにより、絞り機構８０の設定絞り値を調整できる。
エクステンションチューブ２０やエクステンションチューブ９０を３つ以上の筒部材により構成し、隣り合う筒部材同士を相対移動可能に接続してもよいし、鏡筒部６０を互いに着脱可能な複数の部材によって構成してもよい。
さらに、エクステンションチューブ２０、９０の後端部をカメラボディ１１ではなく図示を省略した接眼レンズ付き鏡筒（アイピース）に接続すれば、エクステンションチューブ２０（エクステンションチューブ９０）、鏡筒部６０及び当該接眼レンズ付き鏡筒によって望遠鏡を構成できる。
【符号の説明】
【００２９】
１０    デジタルカメラ
１１    カメラボディ
１５    分割式レンズ鏡筒
２０    エクステンションチューブ
２１    鏡筒側筒部
２２    マウント部
２３    ロック環
２４    移動筒部
２５    直進案内溝
２６    直進案内キー
２８    雄ねじ環
２９    雄ねじ溝
３０    スライド調整リング（回転部材）（操作手段）
３１    雌ねじ溝
３２    圧縮コイルバネ（付勢手段）
３３    内方フランジ
３４    回転環
３５    長孔
３６    ネジ
３７    ネジ孔
３８    動力伝達レバー
３９    円弧孔
４０    回転レバー
４１    固定片
４３    台座
４４    ボール支持孔
４５    絞り調整摘み（絞り調整部材）
４６    回転軸
４７    圧縮コイルバネ
４８    クリックボール
４９    クリック溝
５０    抜止部材
５１    大径半円部
５２    小径半円部
５３  ５４  ストッパ面
５５    カム部材
５６    カム面
５８    ストッパピン
６０    鏡筒部
６１    固定環
６２    マウント部
６３    内方フランジ
６４    ３群支持環（レンズ支持環）
６５    直進案内環
６６    直進案内溝
６７    ２群支持環
６８    カムフォロア
７０    フォーカスリング（調整リング）
７１    カム環
７２    カム溝
７４    回路基板
７５    フレキシブルプリント基板（配線）
７６    接点ピン
７７    前側固定環
８０    絞り機構
８１    絞り操作レバー
８２    係脱部
９０    エクステンションチューブ
９１    スライド調整摘み（操作手段）
９２    小径軸部
９３    支持部材
９４    回転支持部材
９５    軸受け
９６    第１笠歯車
９７    第２笠歯車（回転部材）
９８    雌ねじ溝
９９    雄ねじ溝
１００  押圧部材
１０１  圧縮コイルバネ
Ａ      光軸
Ｌ２    第２レンズ群（移動レンズ群）（フォーカスレンズ）
Ｌ３    第３レンズ群（撮影レンズ群）
Ｓ      引張バネ
【図１】
2011022280.tif 000003
【図２】
2011022280.tif 000004
【図３】
2011022280.tif 000005
【図４】
2011022280.tif 000006
【図５】
2011022280.tif 000007
【図６】
2011022280.tif 000008
【図７】
2011022280.tif 000009
【図８】
2011022280.tif 000010
【図９】
2011022280.tif 000011